(57)【要約】【課題】鍋底が凸状態に反っている鍋や鍋底の厚みが薄い鍋の過加熱を防止すること。【解決手段】加熱コイル２に高周波電流を供給するインバータ回路７と、誘導加熱される調理容器１０から放射された赤外線を検出する赤外線センサ３と、インバータ回路７に入力する電流を検出する電流検出部９と、インバータ回路７の出力を制御する加熱制御部８２と、を有し、第１の加熱電力量で加熱を開始してからの赤外線センサ３の出力増加量が第１の所定値に達したときの、加熱開始からの経過時間と電流検出部の出力の積が所定値未満であれば、第１の加熱制御モードに移行し、加熱開始からの経過時間と電流検出部の出力の積が所定値以上であれば、第２の加熱制御モードに移行し、第１の加熱制御モードでは、加熱電力量を第１の加熱電力量より低い第２の加熱電力量に抑制し、第２の加熱制御モードでは、第２の加熱電力量より大きな第３の加熱電力量で加熱するものである。【選択図】図１
2010146933.tif 000002
【特許請求の範囲】
【請求項１】
赤外線が透過する材料で形成されたトッププレートと、高周波電流を供給されることによって、前記トッププレート上に載置された調理容器を誘導加熱する加熱コイルと、前記加熱コイルに高周波電流を供給するインバータ回路と、増幅器を備え、前記調理容器の底面から放射され、前記トッププレートを透過した赤外線を検出して前記底面温度に応じた検出信号を出力する赤外線センサと、前記インバータ回路に入力する電流を計測する電流検出部と、前記赤外線センサの出力と前記電流計測部の出力とに基づいて、前記インバータ回路が出力する高周波電流を制御する加熱制御部と、を有し、前記赤外線センサは、前記検出信号が前記調理容器の底面温度に対し、所定の温度までは略ゼロで、前記所定の温度を超えるとべき乗関数的に増加するように、前記増幅器の増幅率を設定し、前記加熱制御部は、第１の加熱電力量で加熱を開始したときの前記赤外線センサの出力値に対する前記赤外線センサの出力値の増加量が第１の所定値に達したときに、加熱開始からの経過時間と電流検出部の出力の積が所定値未満かどうかを判断し、加熱開始からの経過時間と電流計測部の出力の積が所定値未満であれば、加熱電力量を前記第１の加熱電力量より低い第２の加熱電力量に抑制する第１の加熱制御モードに移行し、前記加熱開始からの経過時間が所定時間以上であれば、前記第２の加熱電力量より大きな第３の加熱電力量で加熱する第２の加熱制御モードに移行する、誘導加熱調理器。
【請求項２】
前記加熱制御部は、第１の加熱電力量で加熱を開始したときの前記赤外線センサの出力値に対する前記赤外線センサの出力値の増加量が第１の所定値に達したときに、加熱開始からの経過時間が所定時間未満かどうかを判断し、前記加熱開始からの経過時間が所定時間未満であれば、加熱電力量を前記第１の加熱電力量より低い第２の加熱電力量に抑制する第１の加熱制御モードに移行し、前記加熱開始からの経過時間が所定時間以上であれば、前記第２の加熱電力量より大きな第３の加熱電力量で加熱する第２の加熱制御モードに移行する、請求項１記載の誘導加熱調理器。
【請求項３】
前記加熱制御部は、前記第１の加熱制御モードに移行すると、加熱を停止又は抑制してから第１の所定時間経過後に、加熱電力量を増加させて前記第２の加熱電力量で加熱し、前記赤外線センサの出力値の増加量が第２の所定値に達すると、加熱を停止又は抑制する、制御を繰り返す、請求項１に記載の誘導加熱調理器。
【請求項４】
前記第２の所定値は、前記第１の所定値以上である、請求項１に記載の誘導加熱調理器。
【請求項５】
前記加熱制御部は、前記第２の加熱制御モードに移行すると、前記赤外線センサの出力値の増加量が前記第２の所定値より高い第３の所定値に達すると、加熱を停止し、前記赤外線センサの出力値の増加量が前記第３の所定値より低下すると、前記第３の加熱電力量で加熱する、制御を繰り返す、請求項３に記載の誘導加熱調理器。
【請求項６】
前記加熱制御部は、前記第１の加熱制御モードでの加熱動作中における第２の所定時間内の加熱電力量の積算値が、第２の所定電力量を超えると、前記第１の加熱制御モードから前記第２の加熱制御モードに移行する、請求項１に記載の誘導加熱調理器。
【請求項７】
前記加熱制御部は、前記第２の加熱制御モードでの加熱動作中において、前記第１の加熱電力量で加熱を開始してから前記赤外線センサの出力値の増加量が前記第１の所定値に達するまでの時間が、第３の所定時間以内のときは、前記第２の加熱制御モードから前記第１の加熱制御モードに移行する、請求項１に記載の誘導加熱調理器。
【請求項８】
前記赤外線センサは、前記加熱コイルの半径方向の途中に配置される、請求項１に記載の誘導加熱調理器。
【発明の詳細な説明】
【技術分野】
【０００１】
本発明は、調理容器を誘導加熱する誘導加熱調理器に関する。
【背景技術】
【０００２】
近年、鍋やフライパンなどの調理容器を、加熱コイルにより誘導加熱する誘導加熱調理器が、一般家庭や業務用のキッチンなどで広く用いられている。誘導加熱調理器は、調理容器の底面の温度を検出し、検出した温度が設定温度と一致するように加熱コイルを制御する。
【０００３】
例えば、特許文献１に記載の誘導加熱調理器は、調理容器の底面の温度を検出するために、トッププレートの下面の所定位置に温度検知部を設けている。この誘導加熱調理器は、まず、所定の加熱出力量で加熱を開始し、調理容器の底面の温度勾配が所定の温度勾配よりも大きくなると、加熱を一旦停止している。その後、加熱出力量を半分にして、加熱を再開している。加熱が再開された後は、検出された温度が設定温度より高くなると加熱を停止し、設定温度より低くなると加熱を再開することにより、調理容器の温度が設定温度に保たれるようにしている。
【特許文献１】特開昭６４−３３８８１号公報
【発明の開示】
【発明が解決しようとする課題】
【０００４】
しかしながら、特許文献１の誘導加熱調理器のように調理容器の温度の検出を、温度検知部がトッププレートの下面の所定位置の温度を検出することによって行う場合、温度検知部の検出温度が、実際の調理容器の温度勾配と異なる、又は時間的に実際の調理容器の温度に追従できない場合があった。
【０００５】
例えば、加熱開始時に鍋が空焼き状態であると、実際の温度勾配が大きくなる。しかし、鍋の底が凸状態に反っていて、鍋底面とトッププレートとの隙間が大きい場合、鍋温度がトッププレートに伝わりにくくなるため、検出される温度勾配は小さい。そのため、加熱の停止が遅れ、鍋が高温になってしまうという問題があった。
【０００６】
また、鍋の底の厚みが薄い場合、鍋底温度が急激に上昇する。しかし、鍋底の温度が急激に上昇しても、トッププレート下面に熱が伝わるには時間を要するため、温度検知部が検出する温度は、実際の温度に時間的に追従できない。そのため、温度勾配を正しく判断できたとしても、その判断が時間的に遅れる場合があった。その結果、加熱の停止が遅れ、鍋底が高温になるという問題があった。
【０００７】
このように、従来の誘導加熱調理器では、鍋底が凸状態に反っている鍋や鍋底の厚みが薄い鍋が過加熱され、その結果、効率的な加熱ができないという問題があった。
【０００８】
本発明は、上記従来の問題を解決するもので、鍋底が凸状態に反っている鍋や鍋底の厚みが薄い鍋の過加熱を防止し、これにより、効率的な加熱を行う誘導加熱調理器を提供することを目的とする。
【課題を解決するための手段】
【０００９】
赤外線が透過する材料で形成されたトッププレートと、高周波電流を供給されることによって、前記トッププレート上に載置された調理容器を誘導加熱する加熱コイルと、前記加熱コイルに高周波電流を供給するインバータ回路と、増幅器を備え、前記調理容器の底
面から放射され、前記トッププレートを透過した赤外線を検出して前記底面温度に応じた検出信号を出力する赤外線センサと、前記インバータ回路に入力する電流を計測する電流検出部と、前記赤外線センサの出力と前記電流検出部の出力とに基づいて、前記インバータ回路が出力する高周波電流を制御する加熱制御部と、を有し、前記赤外線センサは、前記検出信号が前記調理容器の底面温度に対し、所定の温度までは略ゼロで、前記所定の温度を超えるとべき乗関数的に増加するように、前記増幅器の増幅率を設定し、前記加熱制御部は、第１の加熱電力量で加熱を開始したときの前記赤外線センサの出力値に対する前記赤外線センサの出力値の増加量が第１の所定値に達したときに、加熱開始からの経過時間と電流検出部の出力の積が所定値未満かどうかを判断し、加熱開始からの経過時間と電流計測部の出力の積が所定値未満であれば、加熱電力量を前記第１の加熱電力量より低い第２の加熱電力量に抑制する第１の加熱制御モードに移行し、前記加熱開始からの経過時間が所定時間以上であれば、前記第２の加熱電力量より大きな第３の加熱電力量で加熱する第２の加熱制御モードに移行する、としたものである。
【００１０】
これによって、赤外線センサを用いて、調理容器底面が発する赤外線を検出し、直接、調理容器底面の温度を検知しているため、調理容器の底面が凸状態に反っていて調理容器とトッププレートとの間に隙間があっても、その隙間の影響を受けずに、実際の調理容器の温度勾配に追従して、調理容器の温度を正確に検出することができる。また、調理容器の底面の厚みが薄く、調理容器が急激に温度上昇する場合であっても、時間的な遅れが発生せずに、急激な温度上昇に追従して、温度検出が可能となる。
【発明の効果】
【００１１】
本発明によれば、調理容器から放射される赤外線を検出する赤外線センサを用いて、調理容器の温度を検出しているため、調理容器の底面が凸状に反っていて調理容器とトッププレートの間に隙間があっても、その隙間の影響を受けずに、調理容器の温度勾配に追従して、調理容器の温度を正確に検出することができる。また、熱応答性の良い赤外線センサを用いているため、調理容器の底面の厚みが薄く、調理容器が急激に温度上昇する場合であっても、時間的な遅れが発生せずに急激な温度上昇に追従して、温度検出が可能となる。よって、鍋の底が凸状態に反っている鍋や鍋底の厚みが薄い鍋の過加熱を防止することができる。
【００１２】
さらに、本発明によれば、加熱開始から所定温度に達するまでに加熱開始からの経過時間と電流検出部の出力の積が所定値より低い場合には、火力を下げて加熱している。よって、調理容器の底面の厚みが薄いとき又は空焼きの状態であっても、調理容器の過加熱を防止することができる。
【発明を実施するための最良の形態】
【００１３】
第１の発明は、赤外線が透過する材料で形成されたトッププレートと、高周波電流を供給されることによって、前記トッププレート上に載置された調理容器を誘導加熱する加熱コイルと、前記加熱コイルに高周波電流を供給するインバータ回路と、増幅器を備え、前記調理容器の底面から放射され、前記トッププレートを透過した赤外線を検出して前記底面温度に応じた検出信号を出力する赤外線センサと、前記インバータ回路に入力する電流を計測する電流検出部と、前記赤外線センサの出力と前記電流検出部の出力とに基づいて、前記インバータ回路が出力する高周波電流を制御する加熱制御部と、を有し、前記赤外線センサは、前記検出信号が前記調理容器の底面温度に対し、所定の温度までは略ゼロで、前記所定の温度を超えるとべき乗関数的に増加するように、前記増幅器の増幅率を設定し、前記加熱制御部は、第１の加熱電力量で加熱を開始したときの前記赤外線センサの出力値に対する前記赤外線センサの出力値の増加量が第１の所定値に達したときに、加熱開始からの経過時間と電流検出部の出力の積が所定値未満かどうかを判断し、加熱開始からの経過時間と電流計測部の出力の積が所定値未満であれば、加熱電力量を前記第１の加熱
電力量より低い第２の加熱電力量に抑制する第１の加熱制御モードに移行し、前記加熱開始からの経過時間が所定時間以上であれば、前記第２の加熱電力量より大きな第３の加熱電力量で加熱する第２の加熱制御モードに移行する、とすることにより、赤外線センサを用いて、調理容器底面が発する赤外線を検出し、直接、調理容器底面の温度を検知しているため、調理容器の底面が凸状態に反っていて調理容器とトッププレートとの間に隙間があっても、その隙間の影響を受けずに、実際の調理容器の温度勾配に追従して、調理容器の温度を正確に検出することができる。また、調理容器の底面の厚みが薄く、調理容器が急激に温度上昇する場合であっても、時間的な遅れが発生せずに、急激な温度上昇に追従して、温度検出が可能となる。
【００１４】
第２の発明は、特に、第１の発明において、加熱制御部は、第１の加熱電力量で加熱を開始したときの前記赤外線センサの出力値に対する前記赤外線センサの出力値の増加量が第１の所定値に達したときに、加熱開始からの経過時間が所定時間未満かどうかを判断し、前記加熱開始からの経過時間が所定時間未満であれば、加熱電力量を前記第１の加熱電力量より低い第２の加熱電力量に抑制する第１の加熱制御モードに移行し、前記加熱開始からの経過時間が所定時間以上であれば、前記第２の加熱電力量より大きな第３の加熱電力量で加熱する第２の加熱制御モードに移行するとすることにより、赤外線センサを用いて、調理容器底面が発する赤外線を検出し、直接、調理容器底面の温度を検知しているため、調理容器の底面が凸状態に反っていて調理容器とトッププレートとの間に隙間があっても、その隙間の影響を受けずに、実際の調理容器の温度勾配に追従して、調理容器の温度を正確に検出することができる。また、調理容器の底面の厚みが薄く、調理容器が急激に温度上昇する場合であっても、時間的な遅れが発生せずに、急激な温度上昇に追従して、温度検出が可能となる。
【００１５】
第３の発明は、特に、第１の発明において、加熱制御部は、第１の加熱制御モードに移行すると、加熱を停止又は抑制してから第１の所定時間経過後に、加熱電力量を増加させて第２の加熱電力量で加熱し、赤外線センサの出力値の増加量が第２の所定値に達すると、加熱を停止又は抑制する、制御を繰り返すとすることにより、鍋底の厚みが薄い鍋でも過加熱を防止できる。
【００１６】
第４の発明は、特に、第１の発明において、第２の所定値は、第１の所定値以上とすることにより、適正に調理容器の温度を制御できる。
【００１７】
第５の発明は、特に、第３の発明において、加熱制御部は、第２の加熱制御モードに移行すると、赤外線センサの出力値の増加量が第２の所定値より高い第３の所定値に達すると、加熱を停止し、赤外線センサの出力値の増加量が第３の所定値より低下すると、第３の加熱電力量で加熱する、制御を繰り返すとすることにより、第２の加熱制御モードでは、第１の加熱制御モードと比較して、より高火力で加熱すると共に、加熱を停止又は抑制するための赤外線センサの閾値をより高くしているため、調理容器の底面の厚みが厚いとき又は食材が調理容器内に投入されている状態のときに、調理容器を十分に十分加熱することができる。
【００１８】
第６の発明は、特に、第１の発明において、加熱制御部は、第１の加熱制御モードでの加熱動作中における第２の所定時間内の加熱電力量の積算値が、第２の所定電力量を超えると、第１の加熱制御モードから第２の加熱制御モードに移行するとすることにより、油のみを入れて加熱する予熱工程から、食材を投入して炒める加熱工程に移行するような調理方法に適した温度制御ができる。すなわち、油のみが投入されている状態では低火力にすることによって過加熱を防止でき、食材が投入された後は高火力に変更することによって、十分に加熱することが可能となる。
【００１９】
第７の発明は、特に、第１の発明において、加熱制御部は、第２の加熱制御モードでの加熱動作中において、第１の加熱電力量で加熱を開始してから赤外線センサの出力値の増加量が第１の所定値に達するまでの時間が、第３の所定時間以内のときは、第２の加熱制御モードから第１の加熱制御モードに移行するとすることにより、食材を加熱している状態から、食材が取り除かれた状態に変化した場合に適した温度制御をすることができる。すなわち、食材が投入されているときは高火力で十分に加熱でき、食材が取り除かれた後は低火力に変更することによって調理容器の過加熱を防止することが可能となる。
【００２０】
第８の発明は、特に、第１の発明において、赤外線センサは、加熱コイルの半径方向の途中に配置されるとすることにより、加熱コイルの半径方向の途中は、高周波磁界が強い位置であるため、調理容器の底面の略最高温度を検出することができる。よって、調理容器の略最高温度に基づいて、加熱電力量を制御することが可能となり、過加熱を防止できる。
【００２１】
以下、本発明の実施の形態について、図面を参照しながら説明する。なお、この実施の形態によって、本発明が限定されるものではない。
【００２２】
（実施の形態１）
１．１  誘導加熱調理器の構成
図１に、本発明の実施の形態１の誘導加熱調理器の構成を示す。本実施の形態の誘導加熱調理器は赤外線センサ３を有し、赤外線センサ３の検出温度が所定値に達するまでに要した入力電力の積算値に基づいて、その後の加熱電力量を制御して、鍋などの調理容器１０を加熱する。
【００２３】
本発明の実施の形態１の誘導加熱調理器は、機器上面に設けられたトッププレート１と、高周波磁界を発生させることによって、トッププレート１上の調理容器１０を誘導加熱する加熱コイル２と、を備える。トッププレート１は、ガラスなどの電気絶縁物からなり、赤外線を透過する。加熱コイル２は、トッププレート１の下方に設けられている。加熱コイル２は、同心円状に２分割されて外コイル２ａと内コイル２ｂを形成している。外コイル２ａと内コイル２ｂの間に、隙間が設けられている。調理容器１０は、加熱コイル２の高周波磁界により発生した渦電流によって、発熱する。
【００２４】
トッププレート１の使用者側には、複数のスイッチを含む操作部４が設けられている。例えば、加熱の開始／停止などを使用者が指示するための加熱開始／停止スイッチが操作部４に含まれる。
【００２５】
赤外線センサ３は、調理容器１０の半径方向の途中、本実施の形態では、外コイル２ａと内コイル２ｂとの間の隙間の下方に設けられる。この位置は、加熱コイル２の高周波磁界が強いため、調理容器１０の底面の略最高温度を検出することができる。調理容器１０の底面から放射された、調理容器１０の底面温度に基づく赤外線は、トッププレート１を通って入射し、外コイル２ａと内コイル２ｂとの間の隙間を通って、赤外線センサ３により受光される。赤外線センサ３は、受光した赤外線を検出し、検出した赤外線量に基づいた赤外線検出信号３５を出力する。
【００２６】
加熱コイル２の下方には、商用電源５から供給される交流電圧を直流電圧に変換する整流平滑部６と、整流平滑部６から直流電圧を供給されて高周波電流を生成し、生成した高周波電流を加熱コイル２に出力するインバータ回路７とが設けられる。整流平滑部６は、ブリッジダイオードで構成される全波整流器６１と、全波整流器６１の出力端子間に接続された、チョークコイル６２及び平滑コンデンサ６３で構成されるローパスフィルタと、を有する。インバータ回路７は、スイッチング素子７３（本実施の形態ではＩＧＢＴ）と
、スイッチング素子７３と逆並列に接続されたダイオード７２と、加熱コイル２に並列に接続された共振コンデンサ７１と、を有する。インバータ回路７のスイッチング素子７３がオン／オフすることによって、高周波電流が発生する。インバータ回路７と加熱コイル２は、高周波インバータを構成する。
【００２７】
商用電源５と整流平滑部６との間に、商用電源５から整流平滑部６に流れる入力電流を検出するための入力電流検出部９が設けられている。入力電流検出部９は、本実施の形態において、カレントトランスである。
【００２８】
本実施の形態の誘導加熱調理器は、入力電流を計測するする電流検出部９と、インバータ７を制御する加熱制御部８２と、を含む制御部８を有する。電流検出部９はインバータ回路７に入力する電流を検出する。加熱制御部８２は、インバータ回路７のスイッチング素子７３のオン／オフを制御する駆動信号を出力することによって、インバータ回路７から加熱コイル２に供給される高周波電流を制御する。加熱制御部８は、操作部４から送信される信号と、赤外線センサ３が検出した温度と、電流検出部９と電力積算部８１が算出した積算電力量とに基づいて、スイッチング素子７３のオン／オフを制御する。
【００２９】
図２に、赤外線センサ３の回路図を示す。赤外線センサ３は、フォトダイオード３１と、オペアンプ３２と、抵抗３３、３４とを有する。抵抗３３、３４の一端はフォトダイオード３１に接続され、他端はオペアンプ３２の出力端子及び反転入力端子にそれぞれ接続されている。フォトダイオード３１は、トッププレート１を透過するおよそ３ミクロン以下の波長の赤外線が照射されると電流が流れるシリコン等で形成された受光素子であり、調理容器１０から放射される赤外線を受光できる位置に設けられる。オペアンプ３２は、電流変換回路及び増幅回路を構成する。フォトダイオード３１により発生した電流は、オペアンプ３２によって増幅され、調理容器１０の温度を示す赤外線検出信号３５（電圧値Ｖに相当）として、制御部８に出力される。赤外線センサ３は、調理容器１０から放射される赤外線を受光するため、トッププレート１を介して温度を検出するサーミスタと比較して、熱応答性が良い。
【００３０】
図３に、赤外線センサ３の出力特性を示す。図３において、横軸は調理容器１０の底面温度であり、縦軸は赤外線センサ３が出力する赤外線検出信号３５の電圧値を示す。本実施の形態では調理容器１０の過加熱を防止できればいいため、赤外線センサ３は、調理容器１０の底面温度が約２５０℃以上のときに赤外線検出信号３５を出力し、約２５０℃未満のときは赤外線検出信号３５を出力しない特性を有する。この場合の「赤外線検出信号３５を出力しない」とは、赤外線検出信号３５を全く出力しないだけでなく、実質的に出力しないこと、すなわち制御部８が赤外線検出信号３５の大きさの変化に基づいて調理容器１０の底面の温度変化を実質的に読み取れない程の微弱な信号を出力することを含む。赤外線検出信号３５の出力値は、信号を出力する範囲、すなわち、調理容器１０の温度が約２５０℃以上になると、被加熱物の温度が高くなればなるほど増加の傾きが増加する非線形的な単調増加特性を示し、累乗関数的に増加するように、増幅回路の増幅率が設定される。
【００３１】
１．２  誘導加熱調理器の動作
本実施の形態の誘導加熱調理器は、初期制御モード、第１の加熱制御モード、及び第２の加熱制御モードを含む制御方法により、調理容器を加熱する。ここで、「初期制御モード」とは、使用者により、加熱開始が指示されたときに、最初に実行する制御モードである。「第１の加熱制御モード」と「第２の加熱制御モード」はそれぞれ、初期制御モードが所定時間、実行された後に実行される制御モードであって、「第１の加熱制御モード」は、調理容器の底面の厚みが薄いとき、又は空焼きの状態のときに適した制御モードであり、「第２の加熱制御モード」は、調理容器の底面の厚みが厚いとき、又は食材が調理容
器に投入されている状態のときに適した制御モードである。これらの制御モードを用いた調理容器の具体的な加熱制御について、図４〜図８を用いて、以下に説明する。
【００３２】
図４は、初期制御モードから第１の加熱制御モード又は第２の制御モードに移行するまでのフローチャートを示す。図５は、第１の加熱制御モードにおける加熱制御のフローチャートを示す。図６は、初期制御モード及び第１の加熱制御モードにおける波形を示し、（ａ）に加熱中における調理容器１０の底面温度、（ｂ）に赤外線センサ３の出力増加量、（ｃ）に加熱電力量、（ｄ）に積算電力量、を示している。図７は、第２の加熱制御モードにおける加熱制御のフローチャートを示す。図８は、初期制御モード及び第２の加熱制御モードにおける波形を示し、（ａ）に加熱中における調理容器１０の底面温度、（ｂ）に赤外線センサ３の出力増加量、（ｃ）に加熱電力量、（ｄ）に検出電流、を示している。
【００３３】
図４から説明する。図１に示すトッププレート１上に調理容器１０が置かれ、操作部４の加熱開始／停止スイッチが操作されて加熱開始が指示されると、加熱制御部８２は、インバータ回路７を駆動し、加熱コイル２に高周波磁界を発生させて、調理容器１０の加熱を開始する。このとき、加熱電力量が高火力の第１の加熱電力量Ｐ１（例えば３ｋＷ）となるように、加熱を開始する（Ｓ４０１）（図６（ｃ）及び図８（ｃ）参照）。
【００３４】
加熱を開始すると、加熱コイル２の高周波磁界により発生した渦電流により、調理容器１０が発熱する。赤外線センサ３は、調理容器１０から放射される赤外線に基づいて、調理容器１０の温度を検出する。調理容器１０の半径方向の途中に設けられた赤外線センサ３は、高周波磁界の強い位置にあるため、調理容器１０の底面の略最高温度を検出する。調理容器１０の温度上昇にともない、赤外線センサ３の出力が増加する。加熱制御部８２は、第１の加熱電力量で加熱を開始したときの赤外線センサ３の出力値に対する赤外線センサ３の出力増加量が、第１の所定値Ｖ１以上に達したかどうかを判断する（Ｓ４０２）（図６（ｂ）及び図８（ｂ）参照）。
【００３５】
赤外線センサ３の出力増加量が第１の所定値Ｖ１以上になれば（Ｓ４０２でＹｅｓ、図６（ｂ）及び図８（ｂ）の時刻ｔ１）、制御部８は加熱開始からの経過時間と電流検出部９の積を算出し算出した値が所定値以上かどうかを判定する（Ｓ４０３）（図６（ｄ）及び図８（ｄ）参照）。調理容器１０の底面の厚みが薄い又は空焼きの状態である場合は、加熱開始からの経過時間と電流検出部９の積が所定値Ｉｔ超えず、調理容器１０の底面の厚みが厚い又は食材が調理容器１０に投入されている場合は、加熱開始からの経過時間と電流検出部９の積が所定値Ｉｔを超えるように、所定値Ｉｔは設定される。
【００３６】
加熱開始からの経過時間と電流検出部９の積が所定値Ｉｔ以上でなければ（Ｓ４０３でＮｏ）、第１の加熱制御モードでの加熱制御を実行する（Ｓ４０４）（図６参照）。加熱開始からの経過時間と電流検出部９の積が所定値Ｉｔ以上であれば（Ｓ４０３でＹｅｓ）、第２の加熱制御モードを実行する（Ｓ４０５）（図８参照）。
【００３７】
第１の加熱制御モードについて、図５及び図６を用いて説明する。図５は、図４のステップＳ４０４の具体的な加熱制御のフローチャートである。初期制御モードから第１の加熱制御モードに移行すると、加熱制御部８２は加熱を停止する（Ｓ５０１）（図６（ｃ）の時刻ｔ１参照）。加熱制御部８２は、加熱を停止してから所定時間Ｔ１経過したか否かを判断する（Ｓ５０２）。所定時間Ｔ１経過すれば、加熱制御部８２は、第２の加熱電力量Ｐ２で加熱を始める（Ｓ５０３、図６（ｃ）の時刻ｔ２参照）。ここで、第２の加熱電力量Ｐ２は、第１の加熱電力量Ｐ１より小さい値である。また、所定時間Ｔ１は、赤外線センサ３の出力増加量が、第１の所定値Ｖ１よりも小さくなるような時間である。
【００３８】
加熱制御部８２は、使用者により、操作部４を介して、加熱終了が指示されたかどうかを判断する（Ｓ５０４）。加熱終了の指示が入力された場合は、加熱を終了する。加熱終了の指示が入力されていない場合は、赤外線センサ３の出力増加量が第１の所定値Ｖ１以上に達しているかどうかを判断する（Ｓ５０５）。赤外線センサ３の出力増加量が第１の所定値Ｖ１以上に達していれば（Ｓ５０５でＹｅｓ）、ステップＳ５０１に戻り、加熱制御部８２は加熱を停止する（図６（ｂ）（ｃ）の時刻ｔ３、ｔ５参照）。
【００３９】
このように、第１の加熱制御モードでは、低火力の第２の加熱電力量Ｐ２で調理容器１０を加熱し、赤外線センサ３の出力増加量が第１の所定値Ｖ１以上に達すると、加熱を停止し、所定時間Ｔ１経過すれば、再度、第２の加熱電力量Ｐ２で加熱するという動作を繰り返す。
【００４０】
第２の加熱制御モードについて、図７及び図８を用いて説明する。図７は、図４のステップＳ４０５の具体的な加熱制御のフローチャートである。初期制御モードから第２の加熱制御モードに移行した時点では、加熱制御部８２は第１の加熱電力量Ｐ１で調理容器１０を加熱している。加熱制御部８２は、赤外線センサ３の出力増加量が第２の所定値Ｖ２以上に達したかどうかを判断する（Ｓ７０１）（図８（ｂ）参照）。第２の所定値Ｖ２とは、第１の所定値Ｖ１より大きな値である。赤外線センサ３の出力増加量が第２の所定値Ｖ２以上に達すると（Ｓ７０１でＹｅｓ）、加熱制御部８２は加熱を停止する（Ｓ７０２、図８（ｂ）及び（ｃ）の時刻ｔ２参照）。
【００４１】
加熱制御部８２は、加熱を停止してから、赤外線センサ３の出力増加量が第２の所定値Ｖ２未満に下がったかどうかを判断する（Ｓ７０３）。赤外線センサ３の出力増加量が第２の所定値Ｖ２未満に下がっていれば、再び、第１の加熱電力量Ｐ１で加熱を開始する（Ｓ７０４、図８（ｂ）（ｃ）の時刻ｔ３）。
【００４２】
加熱制御部８２は、操作部４から加熱終了の指示を入力したかどうかを判断する（Ｓ７０５）。加熱制御部８２が、操作部４から加熱終了の指示を入力すれば（Ｓ７０５でＹｅｓ）、加熱制御部８２は加熱を終了する。加熱終了の指示が入力されていない場合は、ステップＳ７０１に戻る。
【００４３】
このように、第２の加熱制御モードでは、高火力の第１の加熱電力量Ｐ１で加熱し、赤外線センサ３の出力増加量が第２の所定値Ｖ２以上に達すれば加熱を停止し、赤外線センサ３の出力増加量が第２の所定値Ｖ２未満になると第１の加熱電力量Ｐ１で加熱する動作を繰り返す。
【００４４】
以上のように、第２の加熱制御モードでは、第１の加熱制御モードよりも、加熱電力量が多く（Ｐ２＞Ｐ１）、加熱を停止させるタイミングとなる閾値が高い（Ｖ２＞Ｖ１）。
【００４５】
１．３  まとめ
本実施の形態の誘導加熱調理器によれば、調理容器１０から放射される赤外線を検出する赤外線センサ３を用いて、調理容器１０の温度を検出しているため、調理容器１０の底面が凸状に反っていて、調理容器１０とトッププレート１の間に隙間があっても、その隙間の影響を受けずに、調理容器１０の温度勾配に追従して、調理容器１０の底面の温度を正確に検出することができる。
【００４６】
また、熱応答性の良い赤外線センサ３によって、調理容器１０の温度を検出しているため、赤外線センサ３の検出温度と実際の調理容器１０の底面温度との間で時間的な遅れが発生しない。そのため、調理容器１０の実際の温度を正確に検出することができる。よって、調理容器１０の底面の厚みが薄く、調理容器１０が急激に温度上昇する場合であって
も、急激な温度上昇に追従して、温度検出が可能となる。
【００４７】
また、赤外線センサ３を加熱コイル２の巻線の半径方向の途中、すなわち、外コイル２ａと内コイル２ｂとの間に設けて、加熱コイル２による高周波磁界が強い位置で、外コイル２ａと内コイル２ｂとの巻線間の上部に位置する調理容器１０の底面部分を測定しているため、調理容器１０の高温部分に対する検知感度がより高い状態で、加熱コイル２への電力供給を制御することができる。これにより、過加熱を確実に防止することができる。
【００４８】
また、本実施の形態では、赤外線センサ３の検出温度が第１の所定値Ｖ１に達するまでに要した積算電力量が所定電力量Ｗｈ１を超えているかどうかによって、その後の加熱制御を変えている。すなわち、調理容器１０の底面が薄い又は空焼きの状態であると判断した場合は、火力を第２の加熱電力量Ｐ２に下げて調理容器１０を加熱すると共に、加熱を停止させるタイミングとなる赤外線センサ３の出力増加量の閾値を低い値Ｖ１に設定している。よって、厚みの薄い調理容器１０や空焼きの状態における過加熱を防止することができる。また、これにより、調理容器１０の変形を防止できる。
【００４９】
調理容器１０の底面が厚い又は食材が調理容器１０に投入されていると判断した場合は、高火力の第１の加熱電力量Ｐ１のままで加熱を継続すると共に、加熱を停止させるタイミングとなる赤外線センサ３の出力増加量の閾値を高い値Ｖ２に設定している。よって、底面の厚みの厚い調理容器１０や食材が調理容器１０に投入されている状態などのように、高い加熱電力量が必要で、高い加熱電力量を加えても過加熱とならない場合には、高い加熱電力量で短時間に調理容器１０を加熱することができる。
【００５０】
また、赤外線センサ３の受光素子として、シリコンのフォトダイオード３１を用いているため、赤外線センサ３を安価にすることができる。
【００５１】
１．４  変形例
なお、初期制御モード（図４のステップＳ４０２）と第１の加熱制御モード（図５のステップＳ５０５）において、同一の第１の所定値Ｖ１を用いる代わりに、異なる値を閾値として設定してもよい。例えば、初期制御モード（図４のステップＳ４０２）での閾値を第１の加熱制御モード（図５のステップＳ５０５）の閾値より低く設定してもよい。この場合、第２の加熱制御モードにおける第２の所定値Ｖ２は、第１の加熱制御モードでの閾値より高くするとよい。高火力の第１の加熱電力量Ｐ１で加熱しているときは、わずかな応答遅れでも過加熱になりやすい。そのため、閾値を低めにして感度を高くすることにより、応答遅れを防止することができる。また、火力を低下させて第２の加熱電力量で加熱しているときは、応答が少し遅れても過加熱にはならないため、閾値を高めの値に設定することが可能になる。このように、第１の加熱電力量で加熱しているときと第２の加熱電力量で加熱しているときにおける閾値を異なる値にすることで、より適正に調理容器１０を加熱することができる。
【００５２】
なお、本実施の形態において、第２の加熱制御モードでは、初期制御モードと同じ第１の加熱電力量Ｐ１で加熱したが、第２の加熱制御モードにおける加熱電力量は第１の加熱電力量Ｐ１に限定しない。第２の加熱制御モードでの加熱電力量は、第１の加熱制御モードでの加熱電力量より大きければよい。
【００５３】
なお、本実施の形態では、図５のステップＳ５０１及び図７のステップ７０２で加熱を停止したが、加熱を停止する代わりに、加熱を抑制してもよい。例えば、図５のステップＳ５０１において、第２の加熱電力量Ｐ２より小さな加熱電力量で加熱をしてもよい。また、図７のステップＳ７０２において、第１の加熱電力量Ｐ１より小さな加熱電力量で加熱をしてもよい。
【００５４】
なお、図５のステップＳ５０２の代わりに、赤外線センサ３の出力増加量が第１の所定値Ｖ１未満かどうかを判断するステップを追加して、赤外線センサ３の出力増加量が第１の所定値Ｖ１未満の場合に、第２の加熱電力量Ｐ２で加熱を開始するようにしてもよい。以下の実施の形態２においても同様である。
【００５５】
（実施の形態２）
２．１  誘導加熱調理器の動作
本実施の形態においては、積算電力が所定電力量Ｗｈ１以上に達してからの制御（図４のステップ４０３以後の制御）が実施の形態１と異なる。実施の形態１では、第１の加熱制御モード（Ｓ４０４）又は第２の加熱制御モード（Ｓ４０５）が実行されている間、加熱途中で他方の加熱制御モードに切り替えず、最初に決定された制御モードで加熱が継続された。しかし、本実施の形態では、加熱途中で、第１の加熱制御モードと第２の加熱制御モードとを切り換えることを可能にする。本実施の形態の誘導加熱調理器の構成は、実施の形態１と同一である。
【００５６】
実施の形態１と異なる動作について、図９〜図１１を用いて説明する。図９に本実施の形態における第１の加熱制御モードのフローチャートを示す。図１０に本実施の形態における第２の加熱制御モードのフローチャートを示す。図１１に、初期制御モードから第１の加熱制御モードに移行し、その後、第１の加熱制御モードと第２の加熱制御モードとが切り替わる場合の波形を示し、（ａ）に加熱中における調理容器１０の底面温度、（ｂ）に赤外線センサ３の出力増加量、（ｃ）に加熱電力量、（ｄ）に検出電流、（ｅ）に所定時間Ｔ２内の積算電力量を示している。
【００５７】
図９及び図１１を用いて、第１の加熱制御モードにおける誘導加熱調理器の動作について説明する。本実施の形態においては、第１の加熱制御モードから第２の加熱制御モードに切り換え可能であるため、制御モードを切り換えるかどうかを判断するためのステップＳ９０４が新たに追加されている。ステップＳ９０４を除いて、ステップＳ９０１〜Ｓ９０６は、実施の形態１の図５のステップＳ５０１〜Ｓ５０５と同一である。異なるステップＳ９０４について説明する。
【００５８】
電力積算部８１は、第１の加熱制御モードにおいて、第２の加熱電力量で加熱中に、所定時間Ｔ２内の積算電力量が所定電力量Ｗｈ２（第２の所定電力量）以上に達したかどうかを判断する（Ｓ９０４）（図１１（ｅ）参照）。所定時間Ｔ２内の積算電力が所定電力量Ｗｈ２以上であれば（Ｓ９０４でＹｅｓ）、第２の加熱制御モードに移行し、高火力の第１の加熱電力量Ｐ１で加熱を開始する（図１０のＳ１００４）（図９（ｃ）の時刻ｔ５参照）。以降、第２の加熱制御モードにおける加熱制御が実行される。これにより、例えば、空の調理容器１０を低火力で加熱している状態で、その調理容器１０に食材が投入されたときに、より高火力の加熱に変更して調理容器１０を加熱することが可能となる。よって、短時間での調理が可能となる。所定時間Ｔ２内の積算電力が所定電力量Ｗｈ２以上でなければ（Ｓ９０４でＮｏ）、第１の加熱制御モードでの加熱を継続する。
【００５９】
図１０及び図１１を用いて、第２の加熱制御モードにおける誘導加熱調理器の動作について説明する。本実施の形態においては、第２の加熱制御モードから第１の加熱制御モードに切り換え可能であるため、制御モードを切り換えるかどうかを判断するためのステップＳ１００５が新たに追加されている。ステップＳ１００５を除いて、ステップＳ１００１〜Ｓ１００６は、実施の形態１の図７のステップＳ７０１〜Ｓ７０５と同一である。異なるステップＳ１００５について説明する。
【００６０】
加熱制御部８２は、第２の加熱制御モードにおいて、加熱停止後に第１の加熱電力量Ｐ
１での加熱を開始した後、赤外線センサ３の出力増加量が第１の所定値Ｖ１達するまでの時間が所定時間Ｔ３以内かどうかを判断する（Ｓ１００５）（図１１（ｃ）の時刻ｔ６〜ｔ７参照）。加熱を再開してから赤外線センサ３の出力増加量が第１の所定値Ｖ１に達するまでの時間が所定時間Ｔ３以内であれば、第１の加熱制御モードに移行して、まず加熱を停止する（Ｓ９０１）（図１１（ｃ）の時刻ｔ７参照）。以降、第１の加熱制御モードにおける加熱制御が実行される。これにより、例えば、食材が投入されている調理容器１０を高火力で加熱している状態で、その調理容器１０から食材が取り除かれたときに、より低火力での加熱に変更して調理容器１０を加熱することが可能となる。これにより、調理容器１０の過加熱を防止することができる。赤外線センサ３の出力増加量が第１の所定値Ｖ１に達するまでの時間が所定時間Ｔ３以内でなければ（Ｓ１００５でＮｏ）、第２の加熱制御モードでの加熱を継続する。
【００６１】
２．２  まとめ
本実施の形態では、第１の加熱制御モードから第２の加熱制御モードに切り換えることを可能にしている。具体的には、低火力の第２の加熱電力量Ｐ２で加熱中の任意の時間において、所定期間Ｔ２中の積算電力が所定電力量Ｗｈ２を越えた場合に、加熱電力量を高火力の第１の加熱電力量Ｐ１に変更している。これにより、空焼きの状態から、食材が調理容器に投入された状態に変化したときに、変更後の状態に適した加熱制御モードで、調理容器を加熱することができる。このような加熱制御モードの変更は、例えば、肉じゃが等のように、調理容器１０に少量の油のみを入れて加熱を開始し、調理容器１０が２００℃を越えるぐらいまで予熱された後に、肉、たまねぎなどを投入して炒める場合に適している。油のみを入れて加熱する予熱工程では、第１の加熱制御モードが選択されることによって、調理容器１０の過加熱が防止され、食材を投入し炒める工程では、第２の加熱制御モードに変更することにより、高火力で炒めることが可能となる。
【００６２】
また、本実施の形態では、第２の加熱制御モードから第１の加熱制御モードに切り換えることも可能にしている。具体的には、高火力の第１の加熱電力量Ｐ１での加熱時に、第１の所定値Ｖ１に到達する時間が所定時間Ｔ３以内のときは、加熱電力量を低火力の第２の加熱電力量Ｐ２に変更している。これにより、加熱途中に、食材が調理容器１０から取り出されて、調理容器１０が空焼きの状態に変化したときに、調理容器１０の過加熱を防止することができる。
【００６３】
２．３  変形例
なお、第１の加熱制御モードから第２の加熱制御モードに切り換えるための判断（Ｓ９０４）と、第２の加熱制御モードから第１の加熱制御モードに切り換えるための判断（Ｓ１００５）を行うタイミングは、それぞれ図９及び図１０に示すタイミングに限定されない。第１の加熱制御モード中の任意のタイミングで、第１の加熱制御モードから第２の加熱制御モードに切り換えるための判断（Ｓ９０４）を行うことができる。また、第２の加熱制御モード中の任意のタイミングで、第２の加熱制御モードから第１の加熱制御モードに切り換えるための判断（Ｓ１００５）を行うことができる。
【産業上の利用可能性】
【００６４】
本発明の誘導加熱調理器は、鍋底が凸状態に反っている鍋や鍋底の厚みが薄い鍋の過加熱を防止できるという効果を有し、一般家庭などで使用される調理機器として有用である。
【図面の簡単な説明】
【００６５】
【図１】本発明の実施の形態１及び実施の形態２の誘導加熱調理器の構成を示すブロック図
【図２】本発明の実施の形態１及び実施の形態２の誘導加熱調理器が用いる赤外線センサの回路図
【図３】図２の赤外線センサの特性図
【図４】本発明の実施の形態１及び実施の形態２における初期制御モードから第１の加熱制御モード又は第２の加熱制御モードに移行するまでの動作を示すフローチャート
【図５】本発明の実施の形態１の第１の加熱制御モードでの動作を示すフローチャート
【図６】本発明の実施の形態１における初期制御モードと第１の加熱制御モードにおける波形図であって、（ａ）は調理容器の温度を示す図、（ｂ）は赤外線センサの出力増加量を示す図、（ｃ）は加熱電力量を示す図、（ｄ）は検出電流を示す図
【図７】本発明の実施の形態１の第２の加熱制御モードでの動作を示すフローチャート
【図８】本発明の実施の形態１における初期制御モードと第２の加熱制御モードにおける波形図であって、（ａ）は調理容器の温度を示す図、（ｂ）は赤外線センサの出力増加量を示す図、（ｃ）は加熱電力量を示す図、（ｄ）は検出電流を示す図
【図９】本発明の実施の形態２の第１の加熱制御モードでの動作を示すフローチャート
【図１０】本発明の実施の形態２の第２の加熱制御モードでの動作を示すフローチャート
【図１１】本発明の実施の形態２における初期制御モードと第１の加熱制御モードと第２の加熱制御モードにおける波形図であって、（ａ）は調理容器の温度を示す図、（ｂ）は赤外線センサの出力増加量を示す図、（ｃ）は加熱電力量を示す図、（ｄ）は加熱開始からの積算電力量を示す図、（ｅ）は第１の加熱制御モード中の所定時間内の積算電力量を示す図
【図１２】従来の加熱調理器のブロック図
【符号の説明】
【００６６】
１  トッププレート
２  加熱コイル
３  赤外線センサ
４  操作部
５  商用電源
６  整流平滑部
７  インバータ回路
８  制御部
９  電流検出部
８１  電力積算部
８２  加熱制御部
【図１】
2010146933.tif 000003
【図２】
2010146933.tif 000004
【図３】
2010146933.tif 000005
【図４】
2010146933.tif 000006
【図５】
2010146933.tif 000007
【図６】
2010146933.tif 000008
【図７】
2010146933.tif 000009
【図８】
2010146933.tif 000010
【図９】
2010146933.tif 000011
【図１０】
2010146933.tif 000012
【図１１】
2010146933.tif 000013
【図１２】
2010146933.tif 000014